(57)【特許請求の範囲】
【請求項１】
本体ケースを備え、前記本体ケースが載置面上に載置された状態で使用される空気調和機であって、
前記本体ケースは、６つの主表面を含む略直方体の形状を有し、
前記主表面のうちの第１面を形成し、前記第１面内に第１吸込口を有する第１領域と、
前記主表面のうちの前記第１面と対向する面を形成し、前記第１面と対向する前記面内に吹出口を有する吹出口形成領域と、
前記主表面のうちの他の４つの面を形成し、前記他の４つ面のうちの１つである第２面内に第２吸込口を有する第２領域と、を含み、
前記第１吸込口および前記第２吸込口は、互いに独立した開口から形成され、
前記本体ケースは、前記第１面を下にしたときも前記第２面を下にしたときも前記載置面上に自立可能とされており、
前記本体ケースは、前記第１面に設けられた第１隙間形成部と、前記第２面に設けられた第２隙間形成部とをさらに含み、
前記第１面を下にして前記第１隙間形成部と前記載置面とが互いに対向するように前記本体ケースが前記載置面上に載置された状態においては、前記第１隙間形成部と前記載置面との間に隙間が形成されてこの隙間を通して前記第１吸込口に空気が吸い込まれ、
前記第２面を下にして前記第２隙間形成部と前記載置面とが互いに対向するように前記本体ケースが前記載置面上に載置された状態においては、前記第２隙間形成部と前記載置面との間に隙間が形成されてこの隙間を通して前記第２吸込口に空気が吸い込まれる、
空気調和機。
【請求項２】
前記第１隙間形成部および／または前記第２隙間形成部は、略直方体の形状を有する前記本体ケースの辺に沿って凹状に湾曲するように設けられている、
請求項１に記載の空気調和機。
【請求項３】
前記本体ケースは、角部が丸みを帯びた前記略直方体の形状を有し、
前記吹出口形成領域と前記第２領域との間には、前記吹出口形成領域と前記第２領域とが交差する領域における全周にわたって環状に形成される第１面取り部が設けられ、
前記第１領域と前記第２領域との間には、前記第１領域と前記第２領域とが交差する領域における全周にわたって環状に形成される第２面取り部が設けられる、
請求項１または２に記載の空気調和機。
【請求項４】
前記第２領域は、前記他の４つの面のうちの前記第２面とは異なる第３面に第３吸込口をさらに有し、
前記第３吸込口は、前記第１吸込口および前記第２吸込口とは互いに独立した開口から形成され、
前記本体ケースは、前記第３面を下にしたときも前記載置面上に自立可能とされており、
前記本体ケースは、前記第３面に設けられた第３隙間形成部をさらに含み、
前記第３面を下にして前記第３隙間形成部と前記載置面とが互いに対向するように前記本体ケースが前記載置面上に載置された状態においては、前記第３隙間形成部と前記載置面との間に隙間が形成されてこの隙間を通して前記第３吸込口に空気が吸い込まれる、
請求項１から３のいずれかに記載の空気調和機。
【請求項５】
前記第１面取り部上に、電源スイッチが設けられる、
請求項３に記載の空気調和機。
【請求項６】
前記本体ケースの内部には、フィルターが着脱可能に取り付けられ、
前記第１領域には、フィルター取付用開口部が設けられ、
前記フィルターは、前記フィルター取付用開口部を通して着脱される、
請求項１から５のいずれかに記載の空気調和機。
【請求項７】
前記吹出口には、揺動可能に支持された第１ルーバーと、前記第１ルーバーよりも前記本体ケースの内部側において揺動可能に支持された第２ルーバーとが設けられ、
前記第１ルーバーを前記第２ルーバー側に投影する方向における投影視においては、前記第１ルーバーの揺動軸と前記第２ルーバーの揺動軸とは互いに直交しており、
前記第２ルーバーは、前記本体ケースの内部側から前記第１ルーバー側に向かう方向において折れ曲がるようにまたは湾曲するように形成される、
請求項１から６のいずれかに記載の空気調和機。
【発明の詳細な説明】
【技術分野】
【０００１】
本発明は、本体ケースを備える空気調和機に関し、特に、本体ケースが載置面上に載置された状態で使用される空気調和機に関する。
【背景技術】
【０００２】
特開２０１０−０８０４２５号公報（特許文献１）に開示されるように、本体ケースを備え、本体ケースが載置面上に載置された状態で使用される空気調和機が知られる。一般的な空気調和機は、吸込口から吸い込んだ空気を吹出口から吹き出す。
【先行技術文献】
【特許文献】
【０００３】
【特許文献１】特開２０１０−０８０４２５号公報
【発明の概要】
【発明が解決しようとする課題】
【０００４】
従来の空気調和機は、載置面上に載置される際の姿勢が１つに限られていたため、空気調和機を室内等に設置する際におけるレイアウト上の柔軟性が低かった。
【０００５】
本発明は、設置する際におけるレイアウト上の柔軟性を向上させることが可能な空気調和機を提供することを目的とする。
【課題を解決するための手段】
【０００６】
本発明に基づく空気調和機は、本体ケースを備え、前記本体ケースが載置面上に載置された状態で使用される空気調和機であって、上記本体ケースは、６つの主表面を含む略直方体の形状を有し、上記主表面のうちの第１面を形成し、上記第１面内に第１吸込口を有する第１領域と、上記主表面のうちの上記第１面と対向する面を形成し、上記第１面と対向する上記面内に吹出口を有する吹出口形成領域と、上記主表面のうちの他の４つの面を形成し、上記他の４つ面のうちの１つである第２面内に第２吸込口を有する第２領域と、を含み、上記第１吸込口および上記第２吸込口は、互いに独立した開口から形成され、上記本体ケースは、上記第１面を下にしたときも上記第２面を下にしたときも上記載置面上に自立可能とされており、上記本体ケースは、上記第１面に設けられた第１隙間形成部と、上記第２面に設けられた第２隙間形成部とをさらに含み、上記第１面を下にして上記第１隙間形成部と上記載置面とが互いに対向するように上記本体ケースが上記載置面上に載置された状態においては、上記第１隙間形成部と上記載置面との間に隙間が形成されてこの隙間を通して上記第１吸込口に空気が吸い込まれ、上記第２面を下にして上記第２隙間形成部と上記載置面とが互いに対向するように上記本体ケースが上記載置面上に載置された状態においては、上記第２隙間形成部と上記載置面との間に隙間が形成されてこの隙間を通して上記第２吸込口に空気が吸い込まれる。
【０００７】
好ましくは、上記第１隙間形成部および／または上記第２隙間形成部は、略直方体の形状を有する上記本体ケースの辺に沿って凹状に湾曲するように設けられている。
【０００８】
好ましくは、上記本体ケースは、角部が丸みを帯びた上記略直方体の形状を有し、上記吹出口形成領域と上記第２領域との間には、上記吹出口形成領域と上記第２領域とが交差する領域における全周にわたって環状に形成される第１面取り部が設けられ、上記第１領域と上記第２領域との間には、上記第１領域と上記第２領域とが交差する領域における全周にわたって環状に形成される第２面取り部が設けられる。
【０００９】
好ましくは、上記第２領域は、上記他の４つの面のうちの上記第２面とは異なる第３面に第３吸込口をさらに有し、上記第３吸込口は、上記第１吸込口および上記第２吸込口とは互いに独立した開口から形成され、上記本体ケースは、上記第３面を下にしたときも上記載置面上に自立可能とされており、上記本体ケースは、上記第３面に設けられた第３隙間形成部をさらに含み、上記第３面を下にして上記第３隙間形成部と上記載置面とが互いに対向するように上記本体ケースが上記載置面上に載置された状態においては、上記第３隙間形成部と上記載置面との間に隙間が形成されてこの隙間を通して上記第３吸込口に空気が吸い込まれる。
【００１０】
好ましくは、上記第１面取り部上に、電源スイッチが設けられる。
【００１１】
好ましくは、上記本体ケースの内部には、フィルターが着脱可能に取り付けられ、上記第１領域には、フィルター取付用開口部が設けられ、上記フィルターは、上記フィルター取付用開口部を通して着脱される。
【００１２】
好ましくは、上記吹出口には、揺動可能に支持された第１ルーバーと、上記第１ルーバーよりも上記本体ケースの内部側において揺動可能に支持された第２ルーバーとが設けられ、上記第１ルーバーを上記第２ルーバー側に投影する方向における投影視においては、上記第１ルーバーの揺動軸と上記第２ルーバーの揺動軸とは互いに直交しており、上記第２ルーバーは、上記本体ケースの内部側から上記第１ルーバー側に向かう方向において折れ曲がるようにまたは湾曲するように形成される。
【発明の効果】
【００１３】
本発明によれば、設置する際におけるレイアウト上の柔軟性を向上させることが可能な空気調和機を得ることができる。
【図面の簡単な説明】
【００１４】
【図１】実施の形態における空気調和機を示す斜視図である。
【図２】実施の形態における空気調和機を示す正面図である。
【図３】実施の形態における空気調和機を示す側面図である。
【図４】実施の形態における空気調和機を示す背面図である。
【図５】実施の形態における空気調和機を示す平面図である。
【図６】実施の形態における空気調和機を示す底面図である。
【図７】実施の形態における空気調和機の一部を示す第１斜視図である。
【図８】実施の形態における空気調和機の一部を示す第２斜視図である。
【図９】実施の形態における空気調和機に備えられるフィルター、構造体５１、およびガイド部等を示す斜視図である。
【図１０】実施の形態における空気調和機に備えられるフィルターを示す斜視図である。
【図１１】図１０中におけるＸＩ−ＸＩ線に沿った矢視断面図である。
【図１２】実施の形態における空気調和機に備えられるフィルターを本体ケースの内部から取り外す際の様子を示す断面図である。
【図１３】図９中のＸＩＩＩ−ＸＩＩＩ線に沿った矢視断面図である。
【図１４】実施の形態における空気調和機の内部を示す斜視図である。
【図１５】実施の形態における空気調和機が動作している様子を示す斜視図である。
【図１６】実施の形態における空気調和機の使用態様の第１例を示す側面図である。
【図１７】実施の形態における空気調和機の使用態様の第２例を示す側面図である。
【図１８】実施の形態における空気調和機の使用態様の第３例を示す側面図である。
【図１９】実施の形態における空気調和機の使用態様の第４例を示す正面図である。
【図２０】実施の形態における空気調和機の使用態様の第４例を示す斜視図である。
【図２１】実施の形態における空気調和機の使用態様の第５例を示す正面図である。
【発明を実施するための形態】
【００１５】
本発明に基づいた実施の形態について、以下、図面を参照しながら説明する。実施の形態の説明において、個数、量などに言及する場合、特に記載がある場合を除き、本発明の範囲は必ずしもその個数、量などに限定されない。実施の形態の説明において、同一の部品、相当部品に対しては、同一の参照番号を付し、重複する説明は繰り返さない場合がある。
【００１６】
（空気調和機１００）
図１〜図６を参照して、本実施の形態における空気調和機１００の全体構成について説明する。図１は、空気調和機１００を示す斜視図である。図２は、空気調和機１００を示す正面図である。図３は、空気調和機１００を示す側面図である。図４は、空気調和機１００を示す背面図である。図５は、空気調和機１００を示す平面図である。図６は、空気調和機１００を示す底面図である。
【００１７】
図１〜図６に示すように、空気調和機１００は、本体ケース１０を備える。本体ケース１０は、全体としては角部が丸みを帯びた略直方体状に形成される。本体ケース１０の内部には、ファン（図１４における多翼ファン６０参照）が配置される。本体ケース１０は、互いに組み合わされるケース部材１５およびケース部材１６と、ケース部材１５およびケース部材１６同士が互いに組み合わされることによって形成された開口を塞ぐように設けられるケース部材１１，１２，１３，１７と、を含む。
【００１８】
ケース部材１１（本発明における第１領域に相当する）は、ケース部材１１を下にして本体ケース１０を載置面上に載置した状態においては、本体ケース１０の底面側に位置する。ケース部材１１は、吸込口１（本発明における第１吸込口に相当する）（図１および図６参照）を有する。
【００１９】
ケース部材１７（本発明における吹出口形成領域に相当する）は、ケース部材１１を下にして本体ケース１０を載置面上に載置した状態においては、本体ケース１０の上面側に位置する。ケース部材１７は、吹出口７（図１および図５参照）を有する。ケース部材１１は、本体ケース１０の内部を挟んでケース部材１７の反対側に位置している。
【００２０】
ケース部材１２は、ケース部材１１を下にして本体ケース１０を載置面上に載置した状態においては、本体ケース１０の正面側に位置する（図２参照）。ケース部材１２のケース部材１６寄りの部分に、吸込口２（本発明における第２吸込口に相当する）が設けられる。ケース部材１２のケース部材１７寄りの部分は、ケース部材１５，１６によって形成された開口に対して、本体ケース１０の内部に入り込むように湾曲している。この湾曲している部分によって、本体ケース１０を持ち上げる際に利用可能な把持部６（図８も参照）が凹状に形成される。
【００２１】
ケース部材１３は、ケース部材１１を下にして本体ケース１０を載置面上に載置した状態においては、本体ケース１０の背面側（本体ケース１０の正面とは反対側）に位置する（図４参照）。ケース部材１３のケース部材１６寄りの部分に、吸込口３（本発明における第３吸込口に相当する）が設けられる。吸込口１〜３は、互いに独立した開口から形成される。空気調和機１００において、吸込口３は必要に応じて設けられるとよい。
【００２２】
図４に示すように、ケース部材１３のケース部材１７寄りの部分も、ケース部材１５，１６によって形成された開口に対して、本体ケース１０の内部に入り込むように湾曲している。この湾曲している部分によって、本体ケース１０を持ち上げる際に利用可能な把持部６が凹状に形成される。
【００２３】
ケース部材１５およびケース部材１６は、略同形状を有するとともに、本体ケース１０の両側面側に位置する。ケース部材１１とケース部材１７との間に位置するケース部材１２，１３，１５，１６は、本発明における第２領域に相当している。
【００２４】
図２〜図４を参照して、ケース部材１５は、側面視においては、角部に丸みが付けられた正方形状を呈している。ケース部材１５の側面側における表面には、４つの突起１５Ｔが設けられる。
【００２５】
ケース部材１５の側面視における各辺に相当する部分には、凹状に湾曲する隙間形成部１５Ｋ（図３参照）が設けられるとよい。詳細は図１６〜図１８を参照して後述されるが、隙間形成部１５Ｋがケース部材１５に設けられる場合、隙間形成部１５Ｋと載置面７０（図１６〜図１８参照）とが互いに対向するように本体ケース１０が載置面７０上に載置された状態においては、隙間形成部１５Ｋと載置面７０との間に隙間Ｓ（図１６〜図１８参照）が形成される。
【００２６】
ケース部材１５には、ケース部材１２とケース部材１７とが互いに交差する領域を含むように、面取り部１５Ｊが設けられる。本実施の形態におけるケース部材１５には、ケース部材１２，１３とケース部材１７とが互いに交差する領域をも含むように、平面視Ｕ字状の面取り部１５Ｊが設けられる（図５参照）。面取り部１５Ｊとしては、一般的な面取り状に形成されていてもよく、丸みを帯びたいわゆるＲ面取り状に形成されていてもよい（図１参照）。
【００２７】
ケース部材１６は、上述のとおり、ケース部材１５と略同様に形成される。ケース部材１２，１３とケース部材１７とが交差する領域を含むように、平面視Ｕ字状の面取り部１６Ｊが設けられる（図５参照）。面取り部１６Ｊとしても、一般的な面取り状に形成されていてもよく、丸みを帯びたいわゆるＲ面取り状に形成されていてもよい。面取り部１６Ｊは、ケース部材１２とケース部材１７とが交差する領域のみに設けられていてもよい。
【００２８】
面取り部１５Ｊおよび面取り部１６Ｊは、全体として平面視環状を呈しており、本発明における第１面取り部に相当している。面取り部１５Ｊ，１６Ｊ上におけるケース部材１２寄りの部分（ケース部材１５およびケース部材１６の間の部分）に、電源スイッチ５が設けられる。
【００２９】
ケース部材１５，１６においては、面取り部１５Ｊ，１６Ｊと同様に、ケース部材１２，１３，１５，１６（本発明における第２領域に相当）とケース部材１１とが交差する領域に面取り部１５Ｇ，１６Ｇもそれぞれ設けられる。面取り部１５Ｇ，１６Ｇは、全体として平面視環状を呈しており、本発明における第２面取り部に相当している。面取り部１５Ｇ，１６Ｇも、一般的な面取り状に形成されていてもよく、丸みを帯びたいわゆるＲ面取り状に形成されていてもよい。
【００３０】
図５を参照して、吹出口７には、揺動軸２１Ｇによって揺動可能に支持された２つのルーバー２１（本発明における第１ルーバーに相当）と、ルーバー２１よりも本体ケース１０の内部側において揺動軸２２Ｇによって揺動可能に支持された４つのルーバー２２（本発明における第２ルーバーに相当）とが、いわゆる２段式に設けられる。揺動軸２１Ｇおよび揺動軸２２Ｇは、ルーバー２１をルーバー２２側に投影する方向における投影視においては、互いに対して直交している。
【００３１】
ルーバー２１は、たとえば平板状の部材から形成される（図１４参照）。ルーバー２１の本体ケース１０の内部とは反対側の端面は、湾曲するように形成される。
【００３２】
ルーバー２２は、本体ケース１０の内部側からルーバー２１側に向かう方向において折れ曲がるように形成される。より具体的には、ケース部材１２寄りに配置された２枚のルーバー２２は、本体ケース１０の内部側からルーバー２１側に向かうにつれ、徐々にケース部材１２側に近づくように鈍角に折れ曲がる（図１４参照）。ケース部材１３寄りに配置された２枚のルーバー２２は、本体ケース１０の内部側からルーバー２１側に向かうにつれ、徐々にケース部材１３側に近づくように鈍角に折れ曲がる（図１４参照）。
【００３３】
これらのルーバー２２は、本体ケース１０の内部側からルーバー２１側に向かう方向において、徐々に湾曲するように形成されていてもよい。また、ルーバー２２の形状に沿うように、吹出口７を形成するケース部材１７の内周面も、徐々に外側に向かって広がるように形成するとよい。当該構成によれば、本体ケース１０の内部から吹出口７を通して吹き出される空気が、ルーバー２２に衝突することによって生じるエネルギー損失を低減することが可能となる。
【００３４】
図６を参照して、吸込口１が設けられるケース部材１１には、上述の吸込口１に加えて、円柱状に形成された４つの支持片１１Ｔと、フィルター３０を本体ケース１０の内部に着脱可能に取り付けるためのフィルター取付用開口部１１Ｈとが設けられる。本実施の形態においては、吸込口１およびフィルター取付用開口部１１Ｈは、互いに一体的に形成されている。換言すると、吸込口１およびフィルター取付用開口部１１Ｈは、１つの開口から形成されている。
【００３５】
（フィルター３０）
図７は、空気調和機１００からケース部材１２、ケース部材１６、およびケース部材１１を取り外した状態を示す斜視図である。図７においては、ケース部材１２に設けられる吸込口２は、説明の便宜上、点線にて仮想的に図示されている。図８は、空気調和機１００からケース部材１６およびケース部材１１を取り外した状態を示す斜視図である。図８においては、ケース部材１１に設けられる吸込口１は、説明の便宜上、点線にて仮想的に図示されている。
【００３６】
図７および図８を参照して、本体ケース１０の内部には、構造体５１に対して固定具５３によって取り付けられた枠状のガイド部５２が設けられる。フィルター３０は、フィルター３０の両側を案内するガイド部５２に対して滑りながら（スライドしつつ）、本体ケース１０の内部に着脱可能に取り付けられる。
【００３７】
図９は、フィルター３０、構造体５１、ガイド部５２、および固定具５３を示す斜視図である。上述のとおり、フィルター３０は、フィルター取付用開口部１１Ｈ（図６参照）を通して、本体ケース１０の内部に着脱可能に取り付けられる（図９における矢印ＡＲ３０参照）。フィルター取付用開口部１１Ｈおよび吸込口１から形成される１つの開口のうち、フィルター３０（より具体的には、図１０における垂下部３０Ｔ）が配置された部分を除く部分が、吸込口１を形成する。
【００３８】
図７〜図９を参照して、本体ケース１０に設けられる吸込口１〜３は、フィルター３０に設けられる集塵部３９の表面（図１１における表面３９Ａ）にそれぞれ連通している。吸込口１（図６および図８参照）を通して吸い込まれた空気は、矢印ＡＲ１（図９参照）に示すように、集塵部３９の表面に到達し、集塵部３９を通過して本体ケース１０の内部にさらに吸い込まれる。
【００３９】
吸込口２（図７および図８参照）を通して吸い込まれた空気は、矢印ＡＲ２（図９参照）に示すように、集塵部３９の表面に到達し、集塵部３９を通過して本体ケース１０の内部にさらに吸い込まれる。吸込口３（図７および図８参照）を通して吸い込まれた空気は、矢印ＡＲ３（図９参照）に示すように、集塵部３９の表面に到達し、集塵部３９を通過して本体ケース１０の内部にさらに吸い込まれる。
【００４０】
図１０は、フィルター３０を示す斜視図である。図１１は、図１０中におけるＸＩ−ＸＩ線に沿った矢視断面図である。図１２は、フィルター３０を本体ケース１０の内部から取り外す際の様子を示す断面図である。
【００４１】
図１０〜図１２（ならびに図７〜図９）に示すように、フィルター３０は、集塵部３９と、ベース部３０Ｂと、第１立壁部３３と、第２立壁部３１（図１０および図１２参照）と、側壁部３２，３４（図１０および図１１参照）と、を備える。第１立壁部３３と、第２立壁部３１と、側壁部３２，３４とは、ベース部３０Ｂの外周部から起立するように設けられる。
【００４２】
ベース部３０Ｂは、後述する４つの集塵部３９が配置される部分に対応するそれぞれの部位に、開口部３０Ｈ（図１１および図１２参照）を１つずつ有する。開口部３０Ｈは、集塵部３９によって覆われる。集塵部３９をその表面３９Ａ側から裏面３９Ｂ側に向かって通過した空気は、開口部３０Ｈ、および構造体５１に設けられた開口部５１Ｈ（図１２参照）を通って、本体ケース１０の内部に向かってさらに流れる。
【００４３】
第１立壁部３３、第２立壁部３１（図１０参照）、および側壁部３２，３４は、ベース部３０Ｂの外周部において、全体として矩形の枠状に形成される。第１立壁部３３、第２立壁部３１（図１０参照）、および側壁部３２，３４は、４つの集塵部３９の周囲を取り囲むように設けられる。
【００４４】
第１立壁部３３は、フィルター３０が本体ケース１０の内部に取り付けられた状態では、集塵部３９を挟んでフィルター取付用開口部１１Ｈ（図６参照）の反対側に位置する。第２立壁部３１は、フィルター３０が本体ケース１０の内部に取り付けられた状態では、集塵部３９よりもフィルター取付用開口部１１Ｈ側に位置する。フィルター３０が本体ケース１０の内部に取り付けられた状態では、第１立壁部３３は、第２立壁部３１に比べて本体ケース１０の内部寄りに位置する。
【００４５】
側壁部３２，３４は、第１立壁部３３および第２立壁部３１の両端部同士を接続する。側壁部３２，３４は、（次述するリブ３６とともに）集塵部３９を両外側から挟み込むように設けられる。ベース部３０Ｂの第２立壁部３１が設けられている部分よりも、さらにフィルター取付用開口部１１Ｈ側に位置する部分には、ベース部３０Ｂから折れ曲がるようにして、垂下部３０Ｔが設けられる。上述のとおり、フィルター取付用開口部１１Ｈ（図６参照）および吸込口１（図６参照）から形成される１つの開口のうち、フィルター３０（図１０における垂下部３０Ｔ）が配置された部分を除く部分が、吸込口１を形成する。
【００４６】
図１０に示すように、側壁部３２および側壁部３４との間には、第１立壁部３３および第２立壁部３１に対して平行な方向に延在するするリブ３５が設けられる。第１立壁部３３および第２立壁部３１との間には、側壁部３２および側壁部３４に対して平行な方向に延在するリブ３６が設けられる。第１立壁部３３、第２立壁部３１、側壁部３２、および側壁部３４によって囲まれるとともに、リブ３５およびリブ３６によって区切られた４つの部分に、集塵部３９が一つずつ取り付けられる。
【００４７】
図１１に示すように、ベース部３０Ｂの側壁部３２が設けられている部分の外側（集塵部３９の反対側）には、集塵部３９とは反対側に向かって延在する延在部３０Ｃが設けられる。延在部３０Ｃの延在方向における先端に連続するとともに、延在部３０Ｃから起立するように、起立部３７が設けられる。起立部３７の上面の長手方向における一部には、突起３７Ｔ（図１０参照）が設けられる。フィルター３０が本体ケース１０に取り付けられた状態においては、突起３７Ｔは、ガイド部５２（図９参照）における開口部３７Ｑ（図９参照）に嵌合する。
【００４８】
同様に、ベース部３０Ｂの側壁部３４が設けられている部分の外側（集塵部３９の反対側）には、集塵部３９とは反対側に向かって延在する延在部３０Ｄが設けられる。延在部３０Ｄの延在方向における先端に連続するとともに、延在部３０Ｄから起立するように、起立部３８が設けられる。起立部３８の上面の長手方向における一部には、突起３８Ｔ（図１０参照）が設けられる。フィルター３０が本体ケース１０に取り付けられた状態においては、突起３８Ｔは、ガイド部５２（図９参照）における開口部３８Ｑ（図９参照）に嵌合する。
【００４９】
フィルター３０内にフィルター取付用開口部１１Ｈを通して挿入されたフィルター３０は、上述の突起３７Ｔ（図１０参照）および開口部３７Ｑ（図９参照）同士の嵌合、ならびに、突起３８Ｔ（図１０参照）および開口部３８Ｑ（図９参照）同士の嵌合によって、本体ケース１０に対して位置決めされる。
【００５０】
ここで、開口部３０Ｈから集塵部３９の表面３９Ａ側に向かう方向（図１１紙面上下方向）における第１立壁部３３の高さ３３Ｈ（第１立壁部３３の最小高さ）は、同方向における集塵部３９の高さ３９Ｈ（集塵部３９の最大高さ）よりも高く設けられる。
【００５１】
図１２を参照して、当該構成によれば、フィルター３０をフィルター取付用開口部１１Ｈを通して本体ケース１０の内部から取り外す際（図１２中の矢印ＡＲ３０参照）に、集塵部３９の表面に堆積したほこりＧが本体ケース１０の内部にほこりＧの自重によって落下することは抑制される。また、吸込口１およびフィルター取付用開口部１１Ｈを形成するケース部材１１の内周面部１ＹなどにほこりＧが接触することによって、ほこりＧが本体ケース１０の内部に落下してしまうことも抑制される。
【００５２】
空気調和機１００のように、フィルター取付用開口部１１Ｈと吸込口１とが一体に形成される場合には、開口部３０Ｈから集塵部３９の表面３９Ａ側に向かう方向における第２立壁部３１の高さ３１Ｈは、同方向における第１立壁部３３の高さ３３Ｈよりも低く設けられるとよい。
【００５３】
当該構成によれば、吸込口１から集塵部３９の表面３９Ａまでの流路面積を多く確保することが可能となり、より多くの空気を、吸込口１を通してフィルター３０の内部に吸い込むことができる。また、第２立壁部３１の高さ３１Ｈを低くしたとしても、集塵部３９に堆積されたほこりＧがフィルター３０の内部に落下することにはほとんど影響しない。
【００５４】
図１１を再び参照して、開口部３０Ｈから集塵部３９の表面３９Ａに向かう方向における側壁部３２の高さ３２Ｈ（側壁部３２の最小高さ）も、同方向における集塵部３９の高さ３９Ｈ（集塵部３９の最大高さ）よりも高く設けられるとよい。同様に、開口部３０Ｈから集塵部３９の表面３９Ａに向かう方向における側壁部３４の高さ３４Ｈ（側壁部３４の最小高さ）も、同方向における集塵部３９の高さ３９Ｈ（集塵部３９の最大高さ）よりも高く設けられるとよい。
【００５５】
当該構成によっても、側壁部３２，３４が障壁として機能することによって、フィルター３０をフィルター取付用開口部１１Ｈを通して本体ケース１０の内部から取り外す際（図１２中の矢印ＡＲ３０参照）に、集塵部３９の表面に堆積したほこりＧが本体ケース１０の内部に落下することは効果的に抑制されることができる。
【００５６】
図１３は、図９中のＸＩＩＩ−ＸＩＩＩ線に沿った矢視断面図である。図１３に示すように、ガイド部５２は、固定具５３によって構造体５１に対して取り付けられるベース部５２Ｂを有する。
【００５７】
吸込口２（図７参照）側においては、ベース部５２Ｂのフィルター３０寄りの部分に、起立部５２Ｐと、起立部５２Ｐの起立方向の先端部からフィルター３０側に向かって延設された延在部５２Ｑと、延在部５２Ｑの延設方向の先端部から折れ曲がるように設けられた垂下部５２Ｒと、が設けられる。
【００５８】
起立部５２Ｐ、延在部５２Ｑ、および垂下部５２Ｒは、フィルター３０の側方に設けられた起立部３８に沿うように折れ曲がるとともに、垂下部５２Ｒは、フィルター３０の延在部３０Ｄに向かって延びている。構造体５１の表面にも、起立部５１Ｓが設けられ、起立部５２Ｐ、延在部５２Ｑ、および垂下部５２Ｒは、構造体５１の起立部５１Ｓおよびフィルター３０の起立部３８を挟み込むようにして、ガイドレール部として機能する。当該ガイドレール部においては、構造体５１、ガイド部５２およびフィルター３０同士が互いに噛み合うように接触するため、吸込口２を通して吸い込まれた空気（矢印ＡＲ２参照）は、漏れなく集塵部３９に通流されることができる。
【００５９】
同様に、吸込口３（図７参照）側においても、ベース部５２Ｂのフィルター３０寄りの部分に、起立部５２Ｓと、起立部５２Ｓの起立方向の先端部からフィルター３０側に向かって延設された延在部５２Ｔと、延在部５２Ｔの延設方向の先端部から折れ曲がるように設けられた垂下部５２Ｕと、が設けられる。
【００６０】
起立部５２Ｓ、延在部５２Ｔ、および垂下部５２Ｕは、フィルター３０の側方に設けられた起立部３７に沿うように折れ曲がるとともに、垂下部５２Ｕは、フィルター３０の延在部３０Ｃに向かって延びている。構造体５１の表面にも、起立部５１Ｔが設けられ、起立部５２Ｓ、延在部５２Ｔ、および垂下部５２Ｕは、構造体５１の起立部５１Ｔおよびフィルター３０の起立部３７を挟み込むようにして、ガイドレール部として機能する。当該ガイドレール部においても、構造体５１、ガイド部５２およびフィルター３０同士が互いに噛み合うように接触するため、吸込口３を通して吸い込まれた空気（矢印ＡＲ３参照）は、漏れなく集塵部３９に通流されることができる。
【００６１】
図１４および図１５を参照して、以上のように構成される空気調和機１００においては、上述のとおり、吸込口１〜３からフィルター３０の集塵部３９を通して、本体ケース１０の内部に空気が吸い込まれる。本体ケース１０の内部に吸い込まれた空気は、フィルター３０の集塵部３９と対向するように配置された多翼ファン６０（シロッコファン）に取り込まれ、流路形成部材６１に沿って吹出口７側へと通流される。
【００６２】
多翼ファン６０からの空気は、ルーバー２１およびルーバー２２によって所定の方向へガイドされ、吹出口７から本体ケース１０の外部へと吹き出される（図１５中における矢印ＡＲ７参照）。流路形成部材６１によって形成される空気の流通路の途中には、イオン発生器６２（図１４参照）が設けられていてもよい。この場合、空気調和機１００はイオン発生装置として機能することが可能となる。
【００６３】
図１６を参照して、空気調和機１００は、吸込口１〜３を有する。吸込口１が載置面７０と対向するように本体ケース１０が載置面７０上に載置された状態であっても、吸込口２，３を通して本体ケース１０の内部に空気を取り込むことができる。
【００６４】
吸込口１が載置面７０と対向するように本体ケース１０が載置面７０上に載置された状態においては、ケース部材１２，１３，１５，１６，１７が、外観として視認可能となる。フィルター３０およびフィルター取付用開口部１１Ｈは、外部からはほとんど視認されないため、空気調和機１００の意匠性が向上する。空気調和機１００においては、ケース部材１５およびケース部材１６に、フィルター３０を着脱するための開口（切欠）などが設けられないため、製造上の都合もよい。
【００６５】
空気調和機１００においては、ケース部材１１側にフィルター取付用開口部１１Ｈが設けられる。フィルター取付用開口部１１Ｈは、吹出口７とは本体ケース１０の内部を挟んで反対側に位置する。フィルター３０および多翼ファン６０が、本体ケース１０の内部においてケース部材１１寄りに配置されることによって、多翼ファン６０と吹出口７との間の流通路を長く確保することが可能となる。結果として、空気調和機１００によれば送風性能を向上させることができる。多翼ファン６０をケース部材１１側に配置することによって、フィルター３０の大きさを小さくすることも可能である。
【００６６】
上述のとおり、ケース部材１１には隙間形成部１５Ｋが設けられる。隙間形成部１５Ｋと載置面７０とが互いに対向するように本体ケース１０が載置面７０上に載置された状態においては、隙間形成部１５Ｋと載置面７０との間に隙間Ｓが形成される。
【００６７】
ケース部材１１が載置面７０と対向するように本体ケース１０が載置面７０の上に載置された場合であっても、隙間Ｓが形成されていることによって、隙間Ｓを通して吸込口１内に空気を取り込むことが可能となる（矢印ＡＲ１参照）。
【００６８】
隙間形成部１５Ｋをケース部材１１側に形成するためには、支持片１１Ｔをケース部材１１に設けてもよいし、ケース部材１５（およびケース部材１６）の端部１５Ｌから、ケース部材１５の側面視における各辺に相当する部分を凹状に湾曲するように形成してもよい。
【００６９】
図１７を参照して、空気調和機１００は、ケース部材１２側を下にして載置面７０上に載置されることもできる。吸込口２が載置面７０と対向するように本体ケース１０が載置面７０上に載置された状態であっても、吸込口１，３を通して本体ケース１０の内部に空気を取り込むことができる。
【００７０】
ケース部材１２側においても、本体ケース１０に隙間形成部１５Ｋが設けられるとよい。ケース部材１２が載置面７０と対向するように本体ケース１０が載置面７０の上に載置された場合であっても、隙間Ｓが形成されていることによって、隙間Ｓを通して吸込口２内に空気を取り込むことが可能となる（矢印ＡＲ２参照）。
【００７１】
電源スイッチ５は、面取り部１５Ｊ，１６Ｊ上におけるケース部材１２寄りの部分（ケース部材１５およびケース部材１６の間の部分）に設けられる。ケース部材１２側を下にして本体ケース１０が載置面７０上に載置される場合であっても、ケース部材１７側などから手指を伸ばして、電源スイッチ５は操作されることが可能である。
【００７２】
図１８を参照して、空気調和機１００は、ケース部材１３側を下にして載置面７０上に載置されることもできる。吸込口３が載置面７０と対向するように本体ケース１０が載置面７０上に載置された状態であっても、吸込口１，２を通して本体ケース１０の内部に空気を取り込むことができる。
【００７３】
ケース部材１３側においても、本体ケース１０に隙間形成部１５Ｋが設けられるとよい。ケース部材１３が載置面７０と対向するように本体ケース１０が載置面７０の上に載置された場合であっても、隙間Ｓが形成されていることによって、隙間Ｓを通して吸込口３内に空気を取り込むことが可能となる（矢印ＡＲ３参照）。
【００７４】
図１９および図２０を参照して、空気調和機１００においては、ケース部材１１側を下にして本体ケース１０が載置面７０上に載置されるとともに、ケース部材１６と壁面７１とが互いに接触するように配置される場合がある。
【００７５】
上述のとおり、ケース部材１６のケース部材１１寄りの部分には面取り部１６Ｇが設けられる。本体ケース１０のケース部材１６が壁面７１と接触するように配置された場合であっても、空気は、ケース部材１２側から面取り部１６Ｇと載置面７０および壁面７１との間に形成された隙間を通して、吸込口３（図２０参照）へと流れることができる（矢印ＡＲ３参照）。ケース部材１３側に壁などが設けられる場合であっても、吸込口３は、面取り部１６Ｇを通過した空気を取り込むことが可能となる。
【００７６】
図２１を参照して、空気調和機１００においては、ケース部材１５側を下にして本体ケース１０が載置面７０上に載置されるとともに、ケース部材１６の上に載置物７２が置かれる場合がある。
【００７７】
この場合であっても、上述（図２０）と同様に、ケース部材１５，１６のケース部材１３寄りの部分に設けられた面取り部１５Ｇ，１６Ｇを通して、空気は、吸込口１または吸込口３に取り込まれることが可能となる（矢印ＡＲ１および矢印ＡＲ３参照）。
【００７８】
以上説明したとおり、空気調和機１００によれば、種々の設置態様を選択することができる。空気調和機１００は、レイアウト上の制約を受けにくく、設置する際における柔軟性を向上させることが可能となる。
【００７９】
以上、本発明に基づいた実施の形態について説明したが、今回開示された実施の形態はすべての点で例示であって制限的なものではない。たとえば、吸込口２および吸込口３は、いずれか一方のみが本体ケース１０に設けられていてもよい。隙間形成部１５Ｋ、面取り部１５Ｇ，１５Ｊ，１６Ｇ，１６Ｊ、電源スイッチ５、フィルター３０、フィルター取付用開口部１１Ｈ、ルーバー２１およびルーバー２２も、必要に応じて設けられるとよい。
【００８０】
したがって、本発明の技術的範囲は特許請求の範囲によって示され、特許請求の範囲と均等の意味および範囲内でのすべての変更が含まれることが意図される。
【符号の説明】
【００８１】
１，２，３  吸込口、１Ｙ  内周面部、５  電源スイッチ、６  把持部、７  吹出口、１０  本体ケース、１１，１２，１３，１５，１６，１７  ケース部材、１１Ｈ  フィルター取付用開口部、１１Ｔ  支持片、１５Ｇ，１５Ｊ，１６Ｇ，１６Ｊ  面取り部、１５Ｋ  隙間形成部、１５Ｌ  端部、１５Ｔ，３７Ｔ，３８Ｔ  突起、２１，２２  ルーバー、２１Ｇ，２２Ｇ  揺動軸、３０  フィルター、３０Ｂ，５２Ｂ  ベース部、３０Ｃ，３０Ｄ，５２Ｑ，５２Ｔ  延在部、３０Ｈ，３７Ｑ，３８Ｑ，５１Ｈ  開口部、３０Ｔ，５２Ｒ，５２Ｕ  垂下部、３１  第２立壁部、３１Ｈ，３２Ｈ，３３Ｈ，３４Ｈ，３９Ｈ  高さ、３２，３４  側壁部、３３  第１立壁部、３５，３６  リブ、３７，３８，５１Ｓ，５１Ｔ，５２Ｐ，５２Ｓ  起立部、３９  集塵部、３９Ａ  表面、３９Ｂ  裏面、５１  構造体、５２  ガイド部、５３  固定具、６０  多翼ファン、６１  流路形成部材、６２  イオン発生器、７０  載置面、７１  壁面、７２  載置物、１００  空気調和機、ＡＲ１，ＡＲ２，ＡＲ３，ＡＲ７，ＡＲ３０  矢印、Ｇ  ほこり、Ｓ  隙間。
【図１】
0005215435.tif 000002
【図２】
0005215435.tif 000003
【図３】
0005215435.tif 000004
【図４】
0005215435.tif 000005
【図５】
0005215435.tif 000006
【図６】
0005215435.tif 000007
【図７】
0005215435.tif 000008
【図８】
0005215435.tif 000009
【図９】
0005215435.tif 000010
【図１０】
0005215435.tif 000011
【図１１】
0005215435.tif 000012
【図１２】
0005215435.tif 000013
【図１３】
0005215435.tif 000014
【図１４】
0005215435.tif 000015
【図１５】
0005215435.tif 000016
【図１６】
0005215435.tif 000017
【図１７】
0005215435.tif 000018
【図１８】
0005215435.tif 000019
【図１９】
0005215435.tif 000020
【図２０】
0005215435.tif 000021
【図２１】
0005215435.tif 000022